(57)【要約】      （修正有）【課題】電子データによるクーポンを用いることにより、大規模なオンラインを不要としたクーポンカードシステムおよびクーポンカードシステム用の冊子を提供する。【解決手段】クーポン加入店４０、５０における使用条件やサービス特典が印刷された冊子１を発行し、クーポンのポイント管理を行うクーポン発行会社３０が利用するクーポンカードシステム。クーポン発行会社３０で加入店４０、５０のサービス特典、割引ポイント、使用可能ポイント、使用済ポイント、残ポイントおよび有効期限などのクーポン情報を電子データとして記録した電子記録媒体５を作成し、冊子１に添付して配布し、加入店４０、５０で電子記録媒体５に対する読み取り・書込みを行うクーポン処理装置２０ｂ、２０ｃを備え、使用条件や有効期限などをクーポン処理装置２０ｂ、２０ｃで読取ってチェックすると共に、電子記録媒体５の電子データを更新し、割引したポイント情報を記憶する。【選択図】図５
2006011901.tif 000002
【特許請求の範囲】
【請求項１】
クーポンの加入店と、前記加入店における使用時の条件や割引するサービス特典などが印刷された冊子を発行するとともにクーポンのポイント管理を行うクーポン発行会社が協調して利用するクーポンカードシステムであって、
前記クーポン発行会社にて、少なくとも前記加入店の前記割引のサービス特典、割引ポイント、使用可能ポイント、使用済ポイント、残ポイントおよび有効期限などのクーポン情報を電子データとして記録した電子記録媒体を作成するとともに、前記冊子に添付して配布し、かつ、加入店におけるポイントを管理し、
また、前記加入店は、前記電子記録媒体に対する読み取り・書込みを行うクーポン処理装置を備え、前記残ポイントや有効期限などを前記クーポン処理装置にて読取ってチェックすると共に、サービス特典に基づく割引を実施して前記電子記録媒体の電子データを更新し、かつ、割引した前記ポイント情報を記憶することを特徴とするクーポンカードシステム。
【請求項２】
前記電子記録媒体は、磁気、または、ＩＣ内蔵、もしくは、ＲＦＩＤ内蔵のカードであることを特徴とする請求項１に記載のクーポンカードシステム。
【請求項３】
前記記憶された割引のポイント情報は、累計したポイント情報とともに使用日付を記憶され、前記クーポン会社へ受け渡す手段を備えることを特徴とする請求項１に記載のクーポンカードシステム。
【請求項４】
クーポンの加入店の情報、およびこの加入店における使用時の条件や割引するサービス特典の内容などが印刷されたサービス台紙と、
前記加入店ごとの少なくとも割引のサービス特典、割引ポイント、使用可能ポイントを電子データとして記憶し、かつ、使用済ポイント、残ポイントおよび有効期限などのクーポン情報を電子データとして記憶可能とした電子記録媒体と、を備えたことを特徴とするクーポンカードシステム用の冊子。
【請求項５】
前記サービス台紙には、前記電子記録媒体を保持する保持手段を備えることを特徴とする請求項４に記載のクーポンカードシステム用の冊子。
【発明の詳細な説明】
【技術分野】
【０００１】
本発明は、特に、今までの印刷タイプによらず、しかも、財布や手帳などに保管し易く、商店街などの小規模なエリアに好適なクーポンカードシステムおよびクーポンカードシステム用の冊子に関する。
【背景技術】
【０００２】
従来、通信ネットワークに接続された入出力可能な双方向通信の携帯端末機を用い、購入金額の割引、購入に伴う商品プレゼント等の購入者に有利な購入形態を生じさせるクーポン券を携帯電話機に表示するようなクーポン券配信システムが知られている（例えば、特許文献１参照）。
このシステムによれば、クーポン券を表示可能とする電子データとして携帯移動端末（携帯電話機）に配信することにより、利用者がクーポン券の利用を様々な場所で迅速かつ容易に行うことが可能であり、さらに、クーポン券を電子データとして管理することが出来るというメリットがあるものの、携帯電話機が必須であり、しかも、会員として登録するための大規模なオンライン構築を必要とするなど導入費用が膨大であり、地域限定のエリア、例えば、小規模の商店街などの使用には不向きであるという問題がある。
【０００３】
一方、集客効果を高める目的で店舗、または、商店街などの小規模エリアの加入店がチラシやタウン誌等（以下、冊子と称する）に付属させてクーポンを配布し、クーポンを持参した顧客に対するサービスを行うシステムは、相変わらず根強い人気があり、今までどおり行われている。
例えば、特許文献２には、冊子を含む印刷物の表面か裏面の少なくとも一部に貼付面を設け、この貼付面から剥離可能に貼付小片を設けるとともに、この貼付小片の印刷面の裏面の貼付面に設けられた粘着剤を介して、剥離した貼付小片を財布や手帳などの被貼付体に貼付するようなものが知られている（特許文献２参照）。
これによれば、粘着剤により被貼付体に貼付小片を貼付しておくことにより貼付小片の紛失防止が図れるものの、薄い紙製であるためよじれ易く、しかも、繰り返し貼ったり剥がしたりできるよう粘着剤を用いているため、財布等に保管したときに粘着剤により汚れる場合があるという問題があった。
また、紙により提示されるため、サービスを行う店舗側では有効期限のチェックや適用サービスの内容確認などを忙しいレジでの会計（勘定）時に目視により行う必要があるため煩わしく、特に、パート社員などの慣れない者が多い職場ではミスが起こり易い要因となったり、会計処理が滞る要因となるという問題があった。
【特許文献１】特開２００２−２３６８３８号公報
【特許文献２】特開２００４−１７３４８号公報
【発明の開示】
【発明が解決しようとする課題】
【０００４】
本発明は、上記の問題点に着目して成されたものであり、紙でなくＩＣカードやＭＣカードなどを用いた電子データによるクーポンを用いることにより、大規模なオンラインを不要としたクーポンカードシステムおよびクーポンカードシステム用の冊子を提供することを課題とする。
【課題を解決するための手段】
【０００５】
請求項１に記載のクーポンカードシステムは、クーポンの加入店と、前記加入店における使用時の条件や割引するサービス特典などが印刷された冊子を発行するとともにクーポンのポイント管理を行うクーポン発行会社が協調して利用するクーポンカードシステムであって、前記クーポン発行会社にて、少なくとも前記加入店の前記割引のサービス特典、割引ポイント、使用可能ポイント、使用済ポイント、残ポイントおよび有効期限などのクーポン情報を電子データとして記録した電子記録媒体を作成するとともに、前記冊子に添付して配布し、かつ、加入店におけるポイントを管理し、また、前記加入店は、前記電子記録媒体に対する読み取り・書込みを行うクーポン処理装置を備え、前記残ポイントや有効期限などを前記クーポン処理装置にて読取ってチェックすると共に、サービス特典に基づく割引を実施して前記電子記録媒体の電子データを更新し、かつ、割引した前記ポイント情報を記憶することを特徴とする。
また、電子記録媒体は、磁気、または、ＩＣ内蔵、もしくは、ＲＦＩＤ内蔵のカードとすることができる。
また、前記記憶された割引のポイント情報は、累計したポイント情報とともに使用日付を記憶され、前記クーポン会社へ受け渡す手段を備えるようにできる。
また、請求項４に記載のクーポンカードシステム用の冊子は、クーポンの加入店の情報、およびこの加入店における使用時の条件や割引するサービス特典の内容などが印刷されたサービス台紙と、前記加入店ごとの少なくとも割引のサービス特典、割引ポイント、使用可能ポイントを電子データとして記憶し、かつ、使用済ポイント、残ポイントおよび有効期限などのクーポン情報を電子データとして記憶可能とした電子記録媒体と、を備えたことを特徴とする。
また、サービス台紙には、電子記録媒体を保持する保持手段を備えるようにできる。
【発明の効果】
【０００６】
加入店の割引のサービス特典、割引ポイント、使用可能ポイントなどのクーポン情報を電子データとして記録した電子記録媒体を冊子に添付して配布し、この電子記録媒体に記憶されたサービス特典の内容や有効期限などをクーポン処理装置で読取ってチェックすると共に、割引したポイント情報を記憶するようにしたので、大規模なオンラインの構築を不要とし、クーポン処理装置を備えた最小構成で、加入店でのクーポンの処理が容易になるという効果がある。
また、電子記録媒体を、磁気、またはＩＣ内蔵、もしくは、ＲＦＩＤ内蔵のカードとすれば、クーポン情報を電子データとして記憶することができる。
また、割引のポイント情報を、定期的に送信する手段を備えるようにすれば、加入店の情報を一元管理できることになる。
さらに、割引のサービス特典、などを電子データとして少なくとも記憶した電子記録媒体を、サービス特典の内容などが印刷されたサービス台紙に添付した冊子としたことにより、従来の紙クーポンに比し、加入店で扱い易いという効果がある。
【発明を実施するための最良の形態】
【０００７】
以下、本発明の実施の形態によるクーポンカードシステムを図１ないし図６に基づき説明する。
【０００８】
図１は、本発明に係るクーポンカードシステム用の冊子を示す。
冊子１は、新聞折込チラシ、パンフレット、カタログやタウン情報誌であり、サービス台紙２を備えている。
サービス台紙２は、業種別に設けられており、本実施の形態においては、飲食店を中心とする「居酒屋編」のサービス台紙２ａと、リラクゼーションや美容を中心とする「美容・エステ編」のサービス台紙２ｂとに分かれており、糊代３により剥離可能に貼付されている。
サービス台紙２には、サービス店の情報、すなわち、店名、ＴＥＬ、使用時の特典、使用の条件、住所、開店日、有効期限などの情報が印刷された印刷クーポン情報部４が形成されており、かつ、「電子記録媒体」としてのＩＣ内蔵カード５が備えられている。
同図の「居酒屋編」のサービス台紙２ａを例にとって説明すると、印刷クーポン情報部４には、店名として「居酒屋たぬき」、お店のＴＥＬとして「０３−３６６６−××」、使用時の特典として「５００円ＯＦＦ」、使用の条件として「但し、２名・３千円以上。ランチタイムを除く。」、住所として「曙町２−２○ビル３Ｆ」、開店日として「（定休日毎週水曜と第１火曜）、そして、「２００４／６／３０まで」の有効期限が、各々目視可能な状態で印刷されている。その他のサービス店の情報は、同様につき詳説を省略する。
サービス台紙２ａのＩＣ内蔵カード５は、図示しない両面テープなどの「保持手段」により、容易に取外し可能な状態に取付けられている。
また、サービス台紙２ｂには、上端部が開口された袋状の収納部６が設けられており、この収納部６にＩＣ内蔵カード５は、出し入れ自在に収納されている。なお、収納部６は、例えば、透明なビニールなどで作製することにより、ＩＣ内蔵カード５が収納されているかどうかの確認を明確とすることができる。
【０００９】
図２は、前記印刷クーポン情報部４に掲載されたサービス店情報を電子データとして記憶するＩＣ内蔵カード５の内容を例示する説明図である。同図に示すようにＩＣ内蔵カード５には、店ＩＤ１０、店名１１、使用の条件１２、サービス特典を示す使用時の特典１３、使用可能ポイント１４、使用済ポイント１５、残ポイント１６、有効期限１７、所在地／ＴＥＬ１８の各項目が設定されている。例えば、第１行を例に説明すると、店ＩＤ１０として「０２５３」、店名１１として「居酒屋たぬき」、使用の条件１２として「ランチタイムは除く。２名以上。３千円以上。」、使用時の特典１３として、「５００ポイントＯＦＦ」、使用可能ポイント１４として「５００ポイント」、使用済ポイント１５として「５００ポイント」、残ポイント１６として「０ポイント」、有効期限１７として「０４／０６／３０」、所在地／ＴＥＬ１８として「曙町２−２、○ビル３Ｆ、３６６６−××××」の各々の項目が設定されている。勿論、ＩＣ内蔵カード５の未使用時には、使用可能ポイント１４および残ポイント１６は、加入店が提供する最大のポイントが設定され、かつ、使用済ポイント１５は、「０」が設定されている。
なお、図２の例では、便宜上、「居酒屋編」と「美容・エステ編」のＩＣ内蔵カード５の内容が一緒に記憶されている例で説明してある。
【００１０】
図３は、前記ＩＣ内蔵カード５に対する読取り・書込みを行うクーポン処理装置２０を示す図である。
クーポン処理装置２０は、ケーシング２１の上部に、前記ＩＣ内蔵カード５の内容やメッセージなどを表示する表示部２２と、テンキーや制御キーなどより成る入力部２３と、ケーシング２１の前面に、ＩＣ内蔵カード５のカード挿入・排出口２４が設けられた構成となっている。
【００１１】
図４は、図３のクーポン処理装置２０の実施の形態の構成例を示すブロック図である。同図に示すように、クーポン処理装置２０は、主に、前記表示部２２と、前記入力部２３と、前記ＩＣ内蔵カード５に記憶されている前記店ＩＤ１０や使用の条件１２、使用時の特典１３などのクーポン情報（図２参照）に対する読込み、および書込みを行うカード読取り・書込み部２５と、ポイント算出部２６と、ポイントデータ記憶部２７と、外部インタフェース部２８とを備え、これらの各部は前記ケーシング２１内に設けてある。
ポイント算出部２６では、カード読取り・書込み部２５にて読取られた前記ＩＣ内蔵カード５のクーポン情報に基づいて、有効期限１７や残ポイント１６のチェックを行うと共に、使用時の特典１３に定められたポイントを、使用残ポイント１６より減算し、かつ、使用済ポイント１５に加算する、クーポンのポイント更新を実行するようになっており、図示省略のＣＰＵなどの作動により行われる。
ポイントデータ記憶部２７は、前記クーポン処理に基づき更新された前記使用ポイント（使用時の特典１３に定められたポイント）を累計して更新日時と共に記憶するものであり、ＲＡＭ（ｒａｎｄｏｍ  ａｃｃｅｓｓ  ｍｅｍｏｒｙ）や書き換え可能なフラッシュＥＥＰＲＯＭ（ｅｌｅｃｔｒＩｃａｌｌｙ  ｅｒａｓａｂｌｅ  ａｎｄ  ｐｒｏｇｒａｍｍａｂｌｅ  ｒｅａｄ  ｏｎｌｙ  ｍｅｍｏｒｙ）などの採用が可能である。
外部インタフェース部２８は、例えばパソコンなどの外部機器２９との接続を実現するためのものであり、この外部インタフェース部２８および外部機器２９としてのパソコンを介して前記ポイントデータ記憶部２７に記憶された使用ポイントの累計（図示省略）などを他所へ送信することができるようになっている。
【００１２】
次に、図５を用いて、クーポンカード用の冊子の使用例につき説明する。
同図は、商店街などの小規模エリアのクーポンカードシステムの概念図を表す図であって、クーポン発行会社３０と、クーポンの加入店４０、５０と、ガイド端末６０と、必要な加入店とを結ぶ通信ネットワーク７０などより構成される。
【００１３】
クーポン発行会社３０は、パソコン（以下、単にＰＣと称す）３１と、このＰＣ３１に接続されたクーポン処理装置２０ａと、を備えている。
クーポン処理装置２０ａの基本形は、前述のクーポン処理装置２０と同様であるが、接続されるＰＣ３１により、ＩＣ内蔵カード５が作製可能なようになっている。
ＰＣ３１は、全加入店の図２相当のサービス店情報が電子データとして記憶されているほか、図示省略の業種ＩＤや店ＩＤ別のポイント集計エリアなどが設けられた記憶部（図示省略）を備えている。
なお、前記ＰＣ３１の図示省略のプログラムでは、以下のような処理ができるようになっている。
１）サービス台紙２の作製
前記ＰＣ３１の図示省略の記憶部に記憶されている前記サービス店情報より、業種ＩＤ（図示省略）に基づき同業種の加入店を抽出して編集し、サービス台紙２を印字・作製する。
２）ＩＣ内蔵カード５の作製
前記抽出した同業種の加入店の前記サービス店情報（図示省略）を、ＰＣ３１に接続されるクーポン処理装置２０ａより出力し、ＩＣ内蔵カード５を作製する。すなわち、クーポン処理装置２０ａにセットされたＩＣ内蔵カード５に対し、図２に示す店ＩＤ１０、店名１１、使用の条件１２、使用時の特典１３、使用ポイント１４、使用済ポイント１５、残ポイント１６、有効期限１７、所在地／ＴＥＬ１８を書き込むものであり、使用済ポイント１５はゼロが、また、残ポイント１６は使用可能ポイント１４が、各々初期値として記憶される。
３）加入店４０、５０のポイント管理
後述する加入店４０，５０の使用ポイントを累計し、累計に基づき加入店ごとの管理を行うとともに、前記ポイントデータ記憶部２７に記憶された更新日付などの記憶データに基づき、月の何日頃、何曜日、何時頃の使用頻度が高いか、などの統計の管理も行う。
使用ポイントの累計は、後述の「累計ＩＣ内蔵カード」をクーポン処理装置２０ａより読み込ませて出力しても良いし、また、インターネットなどの通信ネットワーク７０を介してＰＣ３１にて受信して処理しても良い。
クーポン発行会社３０では、作製した前述ＩＣ内蔵カード５を、保持手段としての図示省略の両面テープなどを付けてサービス台紙２に貼り付けるか、あるいは、サービス台紙２の収納部６に収納・保持し、さらに、糊代３を介してサービス台紙２同士を貼り付けて冊子１を作成するものであり、これを街角やコンビニなどに置き、あるいは、街行く人に配るものである。
【００１４】
クーポンの加入店４０には、インターネット７０に接続されたパソコン（以下、単にＰＣと称す）４１と、このＰＣ４１に接続されたクーポン処理装置２０ｂと、を備えている。
クーポン処理装置２０ｂでは、お客様より提示されたＩＣ内蔵カード５のクーポン処理を行う。すなわち、カード読取り・書込み部２５にてＩＣ内蔵カード５を読み取り、ポイント算出部２６の機能を使って店ＩＤ１０より自店（該当店）の情報を探し出し、有効期限１７をチェックして使用有効期限内であれば、次に残ポイント１６をチェックし、使用時の特典１３のサービスが受けられるかどうかをチェックする。そして、使用が可能な条件が整っていた場合は、表示部２２にサービスポイントを表示し、かつ、カード読取り・書込み部２５を介し使用時の特典１３に基づくサービスポイントを、残ポイント１６より引くとともに、使用済ポイント１５に加算してＩＣ内蔵カード５を更新する。なお、前記ポイントの更新情報は、使用日時とともに、ポイントデータ記憶部２７にも記憶される。
また、クーポン処理装置２０ｂに接続されたＰＣ４１には、インターネット７０を介してクーポン発行会社３０のＰＣ３１に、前記ポイントデータ記憶部２７に記憶されたサービスポイント情報を送信する機能があり、定期的にクーポン発行会社３０に対し使用されたサービスポイント情報の報告ができるようになっている。
【００１５】
クーポン加入店５０は、「パソコン」を導入するほどの店の規模ではなく、クーポン処理装置２０ｃのみが備えられている。ＩＣ内蔵カード５の提示を受けると、先の加入店４０と同様のクーポン処理を行い、ＩＣ内臓カード５を更新し、かつ、ポイントデータ記憶部２７にも使用日時とともにポイントの更新情報が記憶される。ポイントデータ記憶部２７に記憶されたポイントの更新情報は、定期的に累計ＩＣ内蔵カード５１に出力する。
図６に累計ＩＣ内蔵カード５１の一例を示す。
同図に示すように、累計ＩＣ内蔵カード５１には、店ＩＤ５２、店名５３、使用済ポイント累計５４、各使用ポイント５５、使用日時５６の記憶エリアが設けられている。また、前記クーポン処理装置２０のポイントデータ記憶部２７にも同様の項目が記憶されている。クーポン処理装置２０ｃに累計ＩＣ内蔵カード５１をセットし入力部２３を操作して図示省略の「累計出力処理」を行うと、ポイントデータ記憶部２７より累計ＩＣ内蔵カード５１へ前記店ＩＤ５２、店名５３、使用済ポイント累計５４、各使用ポイント５５、使用日時５６の各データが出力されるので、これをクーポン発行会社３０に郵送、あるいは、持参にて持ち込み、ＰＣ３１に蓄積するものである。
【００１６】
図５に戻って、ガイド端末６０は、街角などに設置されたガイド用の端末機であり、ＩＣ内臓カード５を挿入すると、図２に例示されるＩＣ内蔵カード５の内容、すなわち、店名１１、使用時の条件１２、使用時の特典１３、使用可能ポイント１４、使用済ポイント１５、使用残ポイント１６、有効期限１７、所在地／ＴＥＬ１８の項目が表示・確認できるようになっており、ガイド端末６０単体で加入店４０、５０のガイド（紹介）が可能となっている。
【００１７】
上述したように、新聞折込チラシ、パンフレット、カタログやタウン情報誌などの冊子１に、加入店４０，５０の使用時の割引のサービス特典１３、使用可能ポイント１４などのクーポン情報を電子データとして記録した「電子記録媒体」としてのＩＣ内蔵カード５を添付して配布し、このＩＣ内蔵カード５に記憶された有効期限１７や残ポイント１６などをクーポン処理装置２０でチェックし、かつ、使用に応じてＩＣ内蔵カード５を更新する（書き換える）と共に、割引したクーポンのポイント情報をポイントデータ記憶部２７に記憶するようにしたので、大規模なオンラインの構築を不要とし、クーポン処理装置２０を備えた最小構成で、加入店４０，５０でのクーポンの電子的な処理が容易になるものであり、さらに、冊子１にＩＣ内蔵カード５を添付するようにしたので、従来の紙クーポンに比し、加入店で扱い易いものである。
【００１８】
また、クーポン発行会社３０では、加入店４０、５０より収集したクーポン情報に基づき各加入店４０、５０の集計を行ない、また、使用日時に基づき、利用の多い曜日、時間帯などの情報を加入店４０、５０にフィードバックすることができる。
【００１９】
なお、上記実施の形態の構成及び動作は例であって、本発明の趣旨を逸脱しない範囲で適宜変更することができることは言うまでもない。
【００２０】
例えば、上記の例では説明の都合上、「電子記録媒体」として、ＩＣ内蔵カード５を例にとって説明したがこれに限定されないことは勿論であり、磁気カード、もしくは、ＲＦＩＤ内蔵カードの採用も可能である。
【図面の簡単な説明】
【００２１】
【図１】本発明に係るクーポンカードシステム用の冊子１を示す概略説明図である。
【図２】ＩＣ内蔵カードの内容を例示する説明図である。
【図３】クーポン処理装置の概略斜視図である。
【図４】図３のクーポン処理装置の実施の形態の構成例を示すブロック図である。
【図５】本発明に係るクーポンカードシステムの概念図である。
【図６】累計ＩＣ内蔵カードの一例を示す説明図である。
【符号の説明】
【００２２】
１    冊子
２、２ａ、２ｂ    サービス台紙
３    糊代
４    印刷クーポン情報部
５    ＩＣ内蔵タグ（電子記録媒体）
６    収納部
１１  店名
１２  使用の条件
１３  使用時の特典
１４  使用可能ポイント
１５  使用済ポイント
１６  残ポイント
１７  有効期限
１８  所在地／ＴＥＬ
２０、２０ａ、２０ｂ、２０ｃ  クーポン処理装置
２１  ケーシング
２２  表示部
２３  入力部
２４  カード挿入・排出口
２５  カード読取り・書込み部
２６  ポイント算出部
２７  ポイントデータ記憶部
２８  外部インタフェース
２９  外部機器
３０  クーポン発行会社
３１  パソコン（ＰＣ）
４０  クーポン加入店
５０  クーポン加入店
５１  累計ＩＣ内蔵カード
５２  店ＩＤ
５３  店名
５４  使用済ポイント累計
５５  各使用ポイント
５６  使用日時
【図１】
2006011901.tif 000003
【図２】
2006011901.tif 000004
【図３】
2006011901.tif 000005
【図４】
2006011901.tif 000006
【図５】
2006011901.tif 000007
【図６】
2006011901.tif 000008